(57)【要約】【課題】簡素な構成にて、実電流値の検出誤差に起因する異音や振動の発生を抑制することのできる電動パワーステアリング装置を提供すること。【解決手段】マイコン１７（モータ制御信号生成部２４）は、電流フィードバック制御を実行する各Ｆ／Ｂ制御部２７ｄ，２７ｑに加え、オープン制御（オープンループ制御）を実行するオープン制御部３１、及びこれら各制御部によるフィードバック制御及びオープン制御間の切替判定を実行する切替判定部３２を備える。そして、ステアリング操作状態、即ちアシスト力を発生させるためのモータ制御が、実電流値の検出誤差に起因するトルクリップルが発生しやすい制御領域にある場合には、そのモータ制御信号を生成するための制御を電流フィードバック制御からオープン制御に切り替える。【選択図】図２
2008259265.tif 000002
【特許請求の範囲】
【請求項１】
操舵系にステアリング操作を補助するためのアシスト力を付与すべく設けられた操舵力補助装置と、前記操舵力補助装置の駆動源であるモータに対して駆動電力を供給することにより該操舵力補助装置の作動を制御する制御手段とを備え、前記制御手段は、検出される実電流値に基づく電流フィードバック制御の実行により前記モータに対する駆動電力の供給を行う電動パワーステアリング装置であって、
前記制御手段は、前記実電流値の検出誤差に起因するトルクリップルが発生しやすい制御領域においては、前記電流フィードバック制御に代えて、オープン制御を実行することにより前記モータに対する駆動電力の供給を行うこと、
を特徴とする電動パワーステアリング装置。
【請求項２】
請求項１に記載の電動パワーステアリング装置において、
前記制御手段は、前記ステアリング操作が、停車又は極低速走行時における低速操舵又は保舵であるか否かを判定し、その判定結果が真である場合に、前記オープン制御に切り替えること、を特徴とする電動パワーステアリング装置。
【発明の詳細な説明】
【技術分野】
【０００１】
本発明は、電動パワーステアリング装置に関するものである。
【背景技術】
【０００２】
従来、車両用のパワーステアリング装置には、モータを駆動源とした電動パワーステアリング装置（ＥＰＳ）があり、こうしたＥＰＳには、油圧式のパワーステアリング装置と比較して、レイアウト自由度が高く、且つエネルギー消費量が小さいという特徴がある。このため、近年では、小型車両から大型車両までの幅広い車種において、その採用が検討されるようになっている。
【０００３】
さて、通常、このようなＥＰＳにおけるアシスト力の制御は、その駆動源であるモータに通電される実電流値を検出し、該実電流値に基づいて電流フィードバック制御を実行することにより行われる。しかしながら、このような電流フィードバック制御には、その実電流値の検出誤差に起因するトルクリップルが発生しやすい制御領域があり、こうした制御領域においては、当該トルクリップルにより引き起こされる異音や振動の発生により操舵フィーリングが悪化するという問題がある。
【０００４】
即ち、上記実電流値の検出誤差は、その検出される実電流の大きい場合、例えば、所謂据え切り時のような、大きなアシスト力が要求される停車又は極低速走行時でのステアリング操作時に大となる。そして、当該演算誤差に基づく制御量は、電流フィードバック制御に含まれる積分項により増幅され、特に、小さな電流偏差が持続しやすい低速操舵時又は保舵時には、上記演算誤差に基づく制御量がトルクリップルとして表面化し、それに伴い発生する異音や振動が操舵フィーリングの低下を招くことになる。このため、従来、ＥＰＳにおいては、例えば、電流偏差の大きさに基づいてフィードバックゲインを可変する（例えば、特許文献１参照）等、こうした問題の発生を抑制するための高度な補正制御が行われている。
【特許文献１】特開２０００−１０８９１６号公報
【発明の開示】
【発明が解決しようとする課題】
【０００５】
しかしながら、上記のようにフィードバックゲインを可変する構成は、その最適な可変ゲインの設計が難しい。さらに、実電流値の検出誤差も、センサの個体差や温度変化等に依存して変化する。このため、上記従来の構成では、十分にトルクリップルの発生を抑制しきれていないのが実情であり、その有効な対策の創出が強く求められていた。
【０００６】
本発明は、上記問題点を解決するためになされたものであって、その目的は、簡素な構成にて、実電流値の検出誤差に起因する異音や振動の発生を抑制することのできる電動パワーステアリング装置を提供することにある。
【課題を解決するための手段】
【０００７】
上記問題点を解決するために、請求項１に記載の発明は、操舵系にステアリング操作を補助するためのアシスト力を付与すべく設けられた操舵力補助装置と、前記操舵力補助装置の駆動源であるモータに対して駆動電力を供給することにより該操舵力補助装置の作動を制御する制御手段とを備え、前記制御手段は、検出される実電流値に基づく電流フィードバック制御の実行により前記モータに対する駆動電力の供給を行う電動パワーステアリング装置であって、前記制御手段は、前記実電流値の検出誤差に起因するトルクリップルが発生しやすい制御領域においては、前記電流フィードバック制御に代えて、オープン制御を実行することにより前記モータに対する駆動電力の供給を行うこと、を要旨とする。
【０００８】
即ち、電流検出を行わないオープン制御では、実電流値の検出誤差に起因するトルクリップルは発生し得ない。従って、上記構成によれば、実電流値の検出誤差に起因するトルクリップルが発生しやすい領域においても、当該トルクリップルの発生、及びそれにより生ずる異音・振動を抑制することができ、その結果、その操舵状況に関わらず良好な操舵フィーリングを実現することができるようになる。
【０００９】
請求項２に記載の発明は、前記制御手段は、前記ステアリング操作が、停車又は極低速走行時における低速操舵又は保舵であるか否かを判定し、その判定結果が真である場合に、前記オープン制御に切り替えること、を要旨とする。
【００１０】
即ち、実電流値の検出誤差は、その検出される実電流の大きい場合、つまり大きなアシスト力が要求される停車又は極低速走行時でのステアリング操作時に大となる。そして、当該演算誤差に基づく制御量は、電流フィードバック制御に含まれる積分項により増幅され、特に、小さな電流偏差が持続しやすい低速操舵時又は保舵時には、上記演算誤差に基づく制御量がトルクリップルとして表面化しやすい。従って、上記構成によれば、このような場合におけるトルクリップルの発生、及びそれにより生ずる異音・振動を効果的に抑制することができる。
【発明の効果】
【００１１】
本発明によれば、簡素な構成にて、実電流値の検出誤差に起因する異音や振動の発生を抑制することが可能な電動パワーステアリング装置を提供することができる。
【発明を実施するための最良の形態】
【００１２】
以下、本発明を電動パワーステアリング装置（ＥＰＳ）に具体化した一実施形態を図面に従って説明する。
図１は、本実施形態のＥＰＳ１の概略構成図である。同図に示すように、ステアリングホイール（ステアリング）２が固定されたステアリングシャフト３は、ラックアンドピニオン機構４を介してラック５に連結されており、ステアリング操作に伴うステアリングシャフト３の回転は、ラックアンドピニオン機構４によりラック５の往復直線運動に変換される。そして、このラック５の往復直線運動により操舵輪６の舵角が変更されるようになっている。
【００１３】
また、ＥＰＳ１は、操舵系にステアリング操作を補助するためのアシスト力を付与する操舵力補助装置としてのＥＰＳアクチュエータ１０と、該ＥＰＳアクチュエータ１０の作動を制御する制御手段としてのＥＣＵ１１とを備えている。
【００１４】
本実施形態のＥＰＳアクチュエータ１０は、その駆動源であるモータ１２がラック５と同軸に配置された所謂ラック型のＥＰＳアクチュエータであり、モータ１２が発生するアシストトルクは、ボールねじ機構（図示略）を介してラック５に伝達される。尚、本実施形態のモータ１２は、ブラシレスモータであり、ＥＣＵ１１から三相（Ｕ，Ｖ，Ｗ）の駆動電力の供給を受けることにより回転する。そして、モータ制御装置としてのＥＣＵ１１は、このモータ１２が発生するアシストトルクを制御することにより、操舵系に付与するアシスト力を制御する（パワーアシスト制御）。
【００１５】
本実施形態では、ＥＣＵ１１には、トルクセンサ１４及び車速センサ１５が接続されている。そして、ＥＣＵ１１は、これらトルクセンサ１４及び車速センサ１５によりそれぞれ検出される操舵トルクτ及び車速Ｖに基づいて、ＥＰＳアクチュエータ１０の作動、即ちパワーアシスト制御を実行する。
【００１６】
次に、本実施形態のＥＰＳの電気的構成について説明する。
図２は、本実施形態のＥＰＳの制御ブロック図である。同図に示すように、ＥＣＵ１１は、モータ制御信号を出力するモータ制御信号出力手段としてのマイコン１７と、同マイコン１７の出力するモータ制御信号に基づいてモータ１２に三相の駆動電力を供給する駆動回路１８とを備えている。
【００１７】
詳述すると、本実施形態の駆動回路１８は、直列に接続された一対のスイッチング素子（ＦＥＴ）を基本単位（アーム）として、各相に対応する３つのアームを並列接続してなる周知のＰＷＭインバータであり、マイコン１７の出力するモータ制御信号は、駆動回路１８を構成する各ＦＥＴ１８ａ〜１８ｆのオンｄｕｔｙ比を規定するものとなっている。そして、モータ制御信号がＦＥＴ１８ａ〜１８ｆのゲート端子に印加され、同モータ制御信号に応答して各ＦＥＴ１８ａ〜１８ｆがオン／オフすることにより、車載電源（図示略）の直流電圧が三相（Ｕ，Ｖ，Ｗ）の駆動電力に変換されてモータ１２に供給されるようになっている。
【００１８】
さらに詳述すると、本実施形態では、ＥＣＵ１１には、モータ１２に通電される各相電流値Ｉu，Ｉv，Ｉwを検出するための電流センサ２０ｕ，２０ｖ，２０ｗ、及びモータ１２の回転角θを検出するための回転角センサ２１が接続されている。そして、マイコン１７は、これら各センサの出力信号に基づき検出されたモータ１２の各相電流値Ｉu，Ｉv，Ｉw及び回転角θ、並びに上記操舵トルクτ及び車速Ｖに基づいて、駆動回路１８に対するモータ制御信号の出力を実行する。
【００１９】
本実施形態のマイコン１７は、操舵系に付与するアシスト力の制御目標量として電流指令値を演算する電流指令値演算手段としての電流指令値演算部２２と、電流指令値演算部２２により算出された電流指令値に基づいてモータ制御信号を生成するモータ制御信号生成手段としてのモータ制御信号生成部２４とを備えている。
【００２０】
本実施形態では、電流指令値演算部２２には、上記トルクセンサ１４及び車速センサ１５により検出された操舵トルクτ及び車速Ｖが入力される。そして、電流指令値演算部２２は、その操舵トルクτが大きいほど、また車速Ｖが小さいほど、より大きな目標アシスト力に対応する電流指令値Ｉq*を演算する。
【００２１】
モータ制御信号生成部２４には、電流指令値演算部２２において演算された電流指令値Ｉq*とともに、各電流センサ２０ｕ，２０ｖ，２０ｗにより検出された実電流値としての各相電流値Ｉu，Ｉv，Ｉw、及び回転角センサ２１により検出された回転角θが入力される。そして、モータ制御信号生成部２４は、これら各相電流値Ｉu，Ｉv，Ｉw、及び回転角θ（電気角）に基づいて、ｄ／ｑ座標系における電流フィードバック制御を実行することによりモータ制御信号を生成する。
【００２２】
即ち、モータ制御信号生成部２４において、各相電流値Ｉu，Ｉv，Ｉwは、回転角θとともに３相／２相変換部２５に入力され、同３相／２相変換部２５によりｄ／ｑ座標系のｄ軸電流値Ｉd及びｑ軸電流値Ｉqに変換される。また、モータ制御信号生成部２４に入力された電流指令値Ｉq*は、ｑ軸電流指令値として、上記ｑ軸電流値Ｉqとともに減算器２６ｑに入力され、ｄ軸電流値Ｉdは、ｄ軸電流指令値Ｉd*（Ｉd*＝０）とともに減算器２６ｄに入力される。そして、これら減算器２６ｄ，２６ｑにおいて演算されたｄ軸電流偏差ΔＩd及びｑ軸電流偏差ΔＩqは、それぞれ対応するＦ／Ｂ制御部２７ｄ，２７ｑに入力される。
【００２３】
各Ｆ／Ｂ制御部２７ｄ，２７ｑは、入力されたｄ軸電流偏差ΔＩd及びｑ軸電流偏差ΔＩqに所定のＦ／Ｂゲイン（ＰＩゲイン）を乗ずることにより、ｄ軸電圧指令値Ｖd*及びｑ軸電圧指令値Ｖq*を演算する。各Ｆ／Ｂ制御部２７ｄ，２７ｑにより演算されたこれらｄ軸電圧指令値Ｖd*及びｑ軸電圧指令値Ｖq*は、回転角θとともに２相／３相変換部２８に入力される。そして、そのｄ軸電圧指令値Ｖd*及びｑ軸電圧指令値Ｖq*は、２相／３相変換部２８において三相の電圧指令値Ｖu*，Ｖv*，Ｖw*に変換される。
【００２４】
２相／３相変換部２８において演算された各電圧指令値Ｖu*，Ｖv*，Ｖw*は、ＰＷＭ変換部３０に入力され、同ＰＷＭ変換部３０において、該各電圧指令値Ｖu*，Ｖv*，Ｖw*に対応するｄｕｔｙ指令値が生成される。そして、モータ制御信号生成部２４は、これら各ｄｕｔｙ指令値に示されるオンｄｕｔｙ比を有するモータ制御信号を生成し、マイコン１７は、そのモータ制御信号を、駆動回路１８を構成する各スイッチング素子（のゲート端子）に出力することにより、同駆動回路１８の作動、即ちモータ１２への駆動電力の供給を制御する。
【００２５】
（異音・振動の抑制制御）
次に、本実施形態のＥＰＳにおける異音・振動の抑制制御の態様について説明する。
図２に示すように、本実施形態では、マイコン１７のモータ制御信号生成部２４には、上記の各Ｆ／Ｂ制御部２７ｄ，２７ｑに加え、オープン制御（オープンループ制御）の実行により、ｄ軸電圧指令値Ｖd*_op及びｑ軸電圧指令値Ｖq*_opを演算するオープン制御部３１が設けられている。このオープン制御部３１には、ｑ軸電流指令値として電流指令値演算部２２の出力する電流指令値Ｉq*、及びｄ軸電流指令値Ｉd*（Ｉd*＝０）、並びにモータ１２の回転角速度ωが入力されるようになっている。そして、オープン制御部３１は、これら各状態量に基づいて、次の（１）（２）式を解くことにより、ｄ軸電圧指令値Ｖd*_op及びｑ軸電圧指令値Ｖq*_opを演算する。
【００２６】
Ｖd*_op＝−Ｌ×Ｉq*×ω      ・・・（１）
Ｖq*_op＝Ｒ×Ｉq*＋Ｋ×ω    ・・・（２）
（但し、Ｋ：モータ逆起電力定数、Ｒ：相抵抗、Ｌ：相インダクタンス）
尚、上記（１）（２）式は、以下の（３）（４）式に示されるモータ電圧方程式の一般式に「Ｉd*＝０」を代入するとともに、そのｄ，ｑ軸電圧指令値「Ｖd*」「Ｖq*」をそれぞれ「Ｖd*_op」「Ｖq*_op」と置き換えたものである。
【００２７】
Ｖd*＝（Ｒ＋Ｌs）×Ｉd*−Ｌ×Ｉq*×ω            ・・・（３）
Ｖq*＝（Ｒ＋Ｌs）×Ｉq*＋Ｌ×Ｉd*×ω＋Ｋ×ω    ・・・（４）
また、本実施形態では、モータ制御信号生成部２４には、上記各Ｆ／Ｂ制御部２７ｄ，２７ｑによるフィードバック制御とオープン制御部３１によるオープン制御との間の切替判定を実行する切替判定部３２が設けられている。本実施形態では、この切替判定部３２には、車速Ｖ及び操舵トルクτ、並びにモータ１２の回転角速度ωが入力されるようになっており、切替判定部３２は、これら各状態量に基づいて上記の切替判定を実行し、その判定結果を切替信号Ｓchとして２相／３相変換部２８に出力する。そして、２相／３相変換部２８は、その入力される切替信号Ｓchがフィードバック制御を行うべき旨を示すものである場合には、各Ｆ／Ｂ制御部２７ｄ，２７ｑの出力するｄ軸電圧指令値Ｖd*及びｑ軸電圧指令値Ｖq*に基づいて、三相の電圧指令値Ｖu*，Ｖv*，Ｖw*を生成し、入力される切替信号Ｓchがオープン制御を行うべき旨を示すものである場合には、オープン制御部３１の出力するｄ軸電圧指令値Ｖd*_op及びｑ軸電圧指令値Ｖq*_opに基づいて、各相の電圧指令値Ｖu*，Ｖv*，Ｖw*を生成する。
【００２８】
詳述すると、本実施形態では、切替判定部３２は、その切替判定において、現在のステアリング操作状態、即ちそのアシスト力を発生させるためのモータ制御が、上述のような、実電流値である各相電流値Ｉu，Ｉv，Ｉwの検出誤差に起因するトルクリップルが発生しやすい制御領域にあるか否かを判定する。具体的には、本実施形態では、この実電流値の検出誤差に起因するトルクリップルが発生しやすい制御領域に対応するステアリング操作として、停車又は極低速走行時における低速操舵又は保舵が設定されている。そして、切替判定部３２は、その判定結果が「真」、即ちステアリング操作が停車又は極低速走行時における低速操舵又は保舵であり、上記検出誤差に起因するトルクリップルが発生しやすい制御領域にあると判定した場合には、その出力する切替信号Ｓchを、オープン制御部３１によるオープン制御に切り替えるべき旨を示すものに変更する。
【００２９】
即ち、電流検出を行わないオープン制御では、実電流値の検出誤差に起因するトルクリップルは発生し得ない。この点を踏まえ、本実施形態では、当該検出誤差に起因するトルクリップルの発生しやすい制御領域では、その駆動電力を供給するための制御（モータ制御信号を生成するための制御）を電流フィードバック制御からオープン制御に切り替える。そして、これにより、実電流値の検出誤差に起因するトルクリップルの発生、及びこれにより生ずる異音・振動を抑制して、その操舵状況に関わらず良好な操舵フィーリングの実現を図る構成となっている。
【００３０】
次に、本実施形態のマイコンによるモータ制御信号出力の処理手順について説明する。
図３のフローチャートに示すように、マイコン１７は、モータ制御信号の出力に用いられる上記各状態量を取得すると（ステップ１０１）、ステアリング操作状態、即ちアシスト力を発生させるためのモータ制御が、実電流値の検出誤差に起因するトルクリップルが発生しやすい制御領域にあるか否かを判定する（ステップ１０２〜ステップ１０４）。
【００３１】
具体的には、マイコン１７は、先ず、モータ１２の回転角速度ω（の絶対値）が所定値ω０以下であるか否かを判定し（ステップ１０２）、回転角速度ω（の絶対値）が所定値ω０以下である場合（|ω|≦ω０、ステップ１０２：ＹＥＳ）には、続いて、操舵トルクτが所定値τ０以上であるか否かを判定する（ステップ１０３）。このステップ１０３において操舵トルクτが所定値τ０以上であると判定した場合（|τ|≧τ０、ステップ１０３：ＹＥＳ）、マイコン１７は、更に、車速Ｖが所定速度Ｖ０以下であるか否かを判定する（ステップ１０４）。そして、マイコン１７は、このステップ１０４において車速Ｖが所定速度Ｖ０以下であると判定した場合（Ｖ≦Ｖ０、ステップ１０４：ＹＥＳ）に、実電流値の検出誤差に起因するトルクリップルが発生しやすい制御領域にあると判定する。
【００３２】
即ち、本実施形態では、マイコン１７は、上記ステップ１０２〜ステップ１０４の判定処理により規定される「ステアリング操作が停車又は極低速走行時における低速操舵又は保舵であるか否か」の判定結果をもって、実電流値の検出誤差に起因するトルクリップルが発生しやすい制御領域にあるか否かを判定する。つまり、これら各ステップの判定が全て「ＹＥＳ」である場合 （|ω|≦ω０、且つ|τ|≧τ０、且つＶ≦Ｖ０）には、その判定結果を「真」とし、各ステップの判定の何れかが「ＮＯ」である場合（|ω|＞ω０、且つ|τ|＜τ０、且つＶ＞Ｖ０）には、その判定結果を「偽」とする。そして、その判定結果が「真」、即ちステアリング操作が停車又は極低速走行時における低速操舵又は保舵である場合に、上記検出誤差に起因するトルクリップルが発生しやすい制御領域にあると判定する。
【００３３】
マイコン１７は、上記ステップ１０２〜ステップ１０４の処理を実行すると、その判定結果を受けて、当該判定結果が「偽」である場合（ステップ１０２：ＮＯ、ステップ１０３：ＮＯ、又はステップ１０４：ＮＯ）には、フィードバック制御の実行（ステップ１０５）により生成されたモータ制御信号を出力する（ステップ１０６）。そして、その判定結果が「真」である場合、即ちステアリング操作が停車又は極低速走行時における低速操舵又は保舵であり、上記検出誤差に起因するトルクリップルが発生しやすい制御領域にあると判定した場合には、オープン制御の実行（ステップ１０７）により生成されたモータ制御信号を出力する（ステップ１０６）。
【００３４】
以上、本実施形態によれば、以下のような作用・効果を得ることができる。
（１）マイコン１７（モータ制御信号生成部２４）は、電流フィードバック制御を実行する各Ｆ／Ｂ制御部２７ｄ，２７ｑに加え、オープン制御（オープンループ制御）を実行するオープン制御部３１、及びこれら各制御部によるフィードバック制御及びオープン制御間の切替判定を実行する切替判定部３２を備える。そして、ステアリング操作状態、即ちアシスト力を発生させるためのモータ制御が、実電流値の検出誤差に起因するトルクリップルが発生しやすい制御領域にある場合には、そのモータ制御信号を生成するための制御を電流フィードバック制御からオープン制御に切り替える。
【００３５】
即ち、電流検出を行わないオープン制御では、実電流値の検出誤差に起因するトルクリップルは発生し得ない。従って、上記構成によれば、実電流値の検出誤差に起因するトルクリップルが発生しやすい領域においても、当該トルクリップルの発生、及びそれにより生ずる異音・振動を抑制することができ、その結果、その操舵状況に関わらず良好な操舵フィーリングを実現することができるようになる。
【００３６】
（２）ステアリング操作が停車又は極低速走行時における低速操舵又は保舵であるか否かの判定結果をもって、実電流値の検出誤差に起因するトルクリップルが発生しやすい制御領域にあるか否かを判定する。
【００３７】
即ち、実電流値の検出誤差は、その検出される実電流の大きい場合、つまり大きなアシスト力が要求される停車又は極低速走行時でのステアリング操作時に大となる。そして、当該演算誤差に基づく制御量は、電流フィードバック制御に含まれる積分項により増幅され、特に、小さな電流偏差が持続しやすい低速操舵時又は保舵時には、上記演算誤差に基づく制御量がトルクリップルとして表面化しやすい。従って、上記構成のように、こうした場合に、実電流値の検出誤差に起因するトルクリップルが発生しやすい制御領域にあると判定し、そのモータ制御信号を生成するための制御を電流フィードバック制御からオープン制御に切り替えることで、トルクリップルの発生、及びそれにより生ずる異音・振動を効果的に抑制することができる。
【００３８】
なお、本実施形態は以下のように変更してもよい。
・本実施形態では、実電流値の検出誤差に起因するトルクリップルが発生しやすい制御領域に対応するステアリング操作として、停車又は極低速走行時における低速操舵又は保舵を設定した。しかし、実電流値の検出誤差に起因するトルクリップルが発生しやすい制御領域に対応するステアリング操作は、停車又は極低速走行時における低速操舵又は保舵に限るものではなく、これ以外の操舵状況を実電流値の検出誤差に起因するトルクリップルが発生しやすい制御領域に設定してもよい。
【００３９】
・本実施形態では、モータ１２の回転角速度ω（の絶対値）が所定値ω０以下であり（|ω|≦ω０）、且つ操舵トルクτが所定値τ０以上であり（|τ|≧τ０）、且つ車速Ｖが所定速度Ｖ０以下である場合（Ｖ≦Ｖ０）に、ステアリング操作が停車又は極低速走行時における低速操舵又は保舵であると判定した。しかし、ステアリング操作が停車又は極低速走行時における低速操舵又は保舵である否か判定、つまり実電流値の検出誤差に起因するトルクリップルが発生しやすい制御領域にあるか否かの判定は、これらの各条件判定以外の判定処理、及びその組み合わせにより行うこととしてもよい。
【００４０】
例えば、図３に示されるステップ１０２〜ステップ１０４の判定処理において、ステップ１０３、又はステップ１０４の判定条件を省略する。即ち、回転角速度ωに関する条件判定と、操舵トルクτ又は車速Ｖに関する条件判定とを組み合わせた構成としてもよい。また、操舵トルクτに代えて電流指令値Ｉq*を用いてもよい。そして、更には、電流指令値に関する条件判定と電流偏差に関する条件判定との組み合わせる等の構成、即ち電流指令値が大きく電流偏差が小さい場合に、実電流値の検出誤差に起因するトルクリップルが発生しやすい制御領域にあると判定する構成としてもよい。
【図面の簡単な説明】
【００４１】
【図１】電動パワーステアリング装置（ＥＰＳ）の概略構成図。
【図２】ＥＰＳの電気的構成を示すブロック図。
【図３】モータ制御信号出力の処理手順を示すフローチャート。
【符号の説明】
【００４２】
１…電動パワーステアリング装置（ＥＰＳ）、１０…ＥＰＳアクチュエータ、１１…ＥＣＵ、１２…モータ、１７…マイコン、１８…駆動回路、２２…電流指令値演算部、２４…モータ制御信号生成部、２７ｄ，２７ｑ…Ｆ／Ｂ制御部、３１…オープン制御部、３２…切替判定部、Ｖd*，Ｖd*_op…ｄ軸電圧指令値、Ｖq*，Ｖq*_op…ｑ軸電圧指令値、Ｓch…切替信号、ω…回転角速度、ω０…所定値、Ｖ…車速、Ｖ０…所定速度、τ…操舵トルク、τ０…所定値。
【図１】
2008259265.tif 000003
【図２】
2008259265.tif 000004
【図３】
2008259265.tif 000005